(57)【特許請求の範囲】
【請求項１】
ベース（６）内に固定要素（３）を打ち込む携帯型工具（１）であって、
解除装置（２０）を有し、該解除装置の作動が打ち込みプロセスを開始させ、少なくとも１つの工具の状態に依存してブロック可能である工具において、
電気的に作動可能である機械的なブロック装置（４０）が前記解除装置（２０）の作動を無効又は有効にするように前記解除装置（２０）と組み合わされており、
前記ブロック装置（４０）は伝動要素（３０）に機械的に結合されて、該伝動要素が前記解除装置（２０）によって機械的に作動可能であり、
前記伝動要素（３０）は凹み（３４）を有する一方、前記解除装置（２０）に対する前記凹みの位置を前記ブロック装置（４０）によって可変可能に構成されており、
前記凹み（３４）が前記解除装置（２０）に対する無効位置に位置付けられた状態では、前記解除装置（２０）のアクチュエータ（３５）が作動されても、該アクチュエータ（３５）が前記伝動要素（３０）を起動させることなく前記凹み（３４）に受け入れられて、前記解除装置（２０）の作動を無効にし、
一方、前記凹み（３４）が前記解除装置（２０）に対する有効位置に位置付けられた状態では、前記解除装置（２０）のアクチュエータ（３５）が作動されると、該アクチュエータ（３５）が前記伝動要素（３０）を起動させて前記解除装置（２０）の作動を有効にすることを特徴とする携帯型工具。
【請求項２】
前記ブロック装置（４０）は前記伝動要素（３０）に機械的に結合されたタペット（２５）を備え、前記解除装置（２０）は前記アクチュエータ（３５）付きの解除スイッチ（２２）を備えることを特徴とする請求項１に記載の携帯型工具。
【請求項３】
前記タペット（２５）は、前記解除装置（２０）の作動を無効にするブロック位置と、前記解除装置（２０）の作動を有効にするリリース位置との間にて、線形又は旋回軸回りに可動であることを特徴とする請求項２に記載の携帯型工具。
【請求項４】
前記伝動要素（３０）はレバー（３２）として構成され、前記ブロック装置（４０）によって前記伝動要素（３０）の長手方向に作動し、前記解除装置（２０）によって前記伝動要素（３０）の横断方向に作動されることを特徴とする請求項１〜３の何れかに記載の携帯型工具。
【請求項５】
前記ブロック装置（４０）は制御を目的としてコントローラ（１８）に接続されていることを特徴とする請求項１〜４の何れかに記載の携帯型工具。
【請求項６】
前記コントローラ（１８）は接触圧センサ（１６）に接続されていることを特徴とする請求項５に記載の携帯型工具。
【請求項７】
前記コントローラ（１８）は、前記接触圧センサ（１６）がベース（６）に対する携帯型工具（１）の押圧を検出するなら、前記ブロック装置（４０）が前記解除装置（２０）の作動を有効にし、前記接触圧センサ（１６）がベース（６）に対する携帯型工具（１）の押圧を検出しないなら、前記ブロック装置（４０）が前記解除装置（２０）の作動を無効にするように、前記ブロック装置（４０）を電気的に作動させることを特徴とする請求項６に記載の携帯型工具。
【請求項８】
前記ブロック装置（４０）は電磁石及びリフト部材を更に含むことを特徴とする請求項２に記載の携帯型工具。
【請求項９】
前記リフト部材は前記電磁石を少なくとも部分的に貫通することを特徴とする請求項８に記載の携帯型工具。
【請求項１０】
前記リフト部材（６２）は、前記解除装置（２０）の作動を無効にするブロック位置及び前記解除装置（２０）の作動を有効にするリリース位置の両方にて前記電磁石（６１）の外側に完全に配置されていることを特徴とする請求項８に記載の携帯型工具。
【請求項１１】
前記タペットは前記リフト部材を備えることを特徴とする請求項８に記載の携帯型工具。
【発明の詳細な説明】
【技術分野】
【０００１】
本発明は、ベース内に固定要素を打ち込む携帯型工具に関し、該工具は解除装置を有し、該解除装置の作動は打ち込みプロセスを開始させ、解除装置は少なくとも１つの工具の状態に依存してブロックされる。
【背景技術】
【０００２】
以下の特許文献１は固定要素に衝撃を加える装置を開示し、該装置は打ち込みプロセスを開始させる解除機構と、解除機構を不作動にする解除不可機構とを備える。
【先行技術文献】
【特許文献】
【０００３】
【特許文献１】米国特許第7922054号明細書
【発明の概要】
【発明が解決しようとする課題】
【０００４】
本発明によって処理される課題は、ベース内に固定要素を打ち込む携帯型工具の操作を更に簡略又は改善することにある。
【課題を解決するための手段】
【０００５】
上記課題は、ベース内に固定要素を打ち込む携帯型工具のために解決され、該工具は解除装置を有し、該解除装置の作動は打ち込みプロセスを開始させ、少なくとも１つの工具の状態に依存して解除装置がブロックされる。そして、本発明の工具は、前記解除装置の作動をブロック（無効）又は自由（有効又はリリース）にするための電気的に作動可能である機械的なブロック装置を解除装置と組合せたことに特徴付けられる。好ましくは、解除装置は解除スイッチを備え、該解除スイッチは引き金として参照される。好ましくは、解除装置はリフト磁石、特に好ましくは電磁石として構成され、装置内の内部コントローラを介して電気的に作動可能である。解除装置はリフト部材によって迅速且つ安全にブロック又は自由に作動可能である。好ましくは、携帯型工具はボルト打ち込み工具として構成される。ボルト打ち込み工具は電気的、空圧的又は燃料を用いて作動可能である。電気的に作動される場合、ボルト打ち込み工具は、エネルギを蓄える内部蓄積装置として役立つばね装置を備え、エネルギはボルト打ち込み工具内の電動駆動ユニットを源とし、打ち込みプロセス中、不意に出力される。
【０００８】
携帯型工具の好適な実施形態は、ブロック装置が伝動要素に機械的に結合され、そして、該伝動要素が解除装置に機械的に作動可能であることに特徴付けられる。好ましくは、伝動要素はブロック機能及びリリース機能を達成するために使用される。
【０００９】
携帯型工具の前記好適な実施形態は、伝動要素が凹みを有し、解除装置に対する凹みの位置がブロック装置によって可変できることに特徴付けられる。これにより、解除装置は簡単にしてブロック又はリリース可能となる。
【００１０】
携帯型工具の前記好適な実施形態は、伝動要素を動かすこと無く、作動時、解除装置のアクチュエータが凹みに受け入れられるべく、凹みが解除装置に対する無効位置に位置付けられていることに特徴付けられる。好適には、伝動要素にはその無効位置内への予張力がかけられている。これにより、フェールセーフの解法が簡単にして達成される。
【００１１】
携帯型工具の前記好適な実施形態は、作動中、解除装置のアクチュエータが伝動要素を動かすように、凹みが解除装置に対する有効位置に位置付けられていることに特徴付けられる。有効位置において、解除装置のアクチュエータが伝動要素の凹みに受け入れられることはない。
【００１２】
携帯型工具の好適な別の実施形態は、ブロック装置が伝動要素に機械的に結合されたタペットを含み、解除装置はアクチュエータ付きの解除スイッチを備えるに特徴付けられる。好ましくは、タペットはブロック装置の電気的な作動によって彼方此方に可動であり、その可動は線形又は旋回軸回りであるのが好ましい。
携帯型工具の好適な別の実施形態は、解除装置（解除スイッチ）の作動を無効にするブロック位置と解除装置（解除スイッチ）の作動を有効するリリース位置との間にてタペットが可動であることに特徴付けられる。好ましくは、タペットは線形又は旋回軸回りに移動する。解除スイッチにおけるタペットの動作指向に起因して、或る精巧な機構が不要となる。
携帯型工具の好適な別の実施形態は、伝動要素がレバーとして構成され、その長手方向にはブロック装置によって、その横断方向には解除装置によって作動されることに特徴付けられる。レバーはブロック装置に面する端にて関節的に取り付けられている。レバーはブロック装置に背向する端にて、例えば別の結合要素を介して工具の駆動装置に結合可能である。
【００１３】
携帯型工具の好適な別の実施形態は、ブロック装置（リフト磁石）が制御を目的としてコントローラに接続されていることに特徴付けられる。該コントローラは工具内に組み込まれ、少なくとも１つの工具の状態に依存してリフト磁石を作動させるために使用される。
【００１４】
携帯型工具の好適な別の実施形態は、コントローラが接触圧センサに接続されていることに特徴付けられる。該接触圧センサは工具がユーザによってベースに押圧されているか否かを検出するために使用される。
【００１５】
携帯型工具の好適な別の実施形態は、接触圧センサがベースに対する携帯型工具の押圧を検出するならブロック装置が解除装置の作動を自由にし、接触圧センサがベースに対する携帯型工具の押圧を検出しないならブロック装置が解除装置の作動をブロックするように、コントローラがブロック装置を電気的に作動させることに特徴付けられる。
【００１６】
携帯型工具の好適な別の実施形態は、ブロック装置が電磁石及びリフト部材を備えることに特徴付けられる。好ましくは、リフト部材は電磁石を部分的に、特に好ましくは完全に貫通する。別の好適な実施形態によれば、リフト部材はブロック装置のブロック位置及びリリース位置の両方にて、電磁石の外側に完全に配置されている。
【００１７】
携帯型工具の好適な別の実施形態は、タペットがリフト部材を備えることに特徴付けられる。
【００１８】
本発明の他の利点、特徴及び詳細は後述の説明から明らかとなり、この説明において、種々の実施形態が添付図面を参照しながら詳細に記載されている。
【図面の簡単な説明】
【００１９】
【図１】解除装置及びリフト部材を有する参考例としての携帯型工具をブロック位置にて示す図である。
【図２】図１の状態からリフト部材がリリース位置にある工具を示す図である。
【図３】一実施形態に係るリフト磁石を備えた解除装置の詳細に示す図である。
【図４】ブロック装置の別の実施形態を示す図である。
【図５】ブロック装置の別の実施形態を示す図である。
【図６】ブロック装置の別の実施形態を示す図である。
【発明を実施するための形態】
【００２０】
図１及び図２はボルト打ち込み工具１として構成された携帯型工具を２つの状態で示す。ボルト打ち込み工具１は駆動要素としてのばね装置１０を備え、それ故、ばね型の釘打ち機として参照される。ばね装置１０は電動モータによって緊張され、電動モータはスピンドル１２を駆動する。該スピンドル１２は打ち込み工具１のハウジング２内にスピンドルナット１４とともに配置されている。
【００２１】
ハウジング２は、固定要素、詳しくはボルトのためのマガジン３を備え、該マガジン３内にボルトが備蓄されている。更に、ボルト打ち込み工具１はハンドル４を備え、該ハンドル４はユーザの手によって把持される。固定要素はテーパロッド８を介してボルト打ち込み端５にて工具１から出て、ベース６内に打ち込まれる。
工具１のボルト打ち込み端５には接触圧センサ１６が配置されている。該接触圧センサ１６は、ユーザによる使用中、ベース６に対して工具１が押圧されているか否かを検出する。制御を目的として接触圧センサ１６はコントローラ１８に接続されている。次にコントローラ１８は制御を目的として工具１の解除装置２０に接続され、その制御は電気的に実行される。図示されていないが、図１，２の参考例ではその制御が機械的に実施される。解除装置２０は解除スイッチ２２を含み、該解除スイッチ２２は引き金として参照される。
【００２２】
図１に示されるように解除スイッチ２２の作動はリフト磁石２４によってブロックすることができ、リフト磁石２４は電磁石として構成されている。リフト磁石２４はタペット２５を有し、該タペット２５は解除スイッチ２２に直接的に働く。図１において、リフト磁石２４のタペット２５はブロック位置にあり、該ブロック位置にて解除スイッチ２２の作動はブロックされている。図２において、リフト磁石２４のタペット２５はリリース位置にあり、該リリース位置にて、解除スイッチ２２はリリース、つまり、自由にされている。タペット２５のリフト要素（リフト部材）はリフト磁石２４を完全に貫通している。
【００２３】
リフト磁石２４は接触圧センサ１６からの接触圧信号に依存してコントローラ１８によりリリース又はブロックすべく作動される。接触圧センサ１６からの接触圧信号に代えて、磁石２４を制御するために装置の他のリリース信号、特に電気的又は機械的な信号を使用可能である。
【００２４】
図３において、図１に示された工具における解除装置２０の解除スイッチ２２は伝動要素３０を介してリフト磁石４０に結合されている。伝動要素３０はリフト磁石４０によって作動される。伝動要素３０の位置に依存し、解除装置２０の解除スイッチ２２はブロック又は解放される。
【００２５】
伝動要素３０はレバー３２を含み、該レバー３２は図３に示されるように、その下端にて支持構造（図示しない）又はリフト磁石４０に関節結合されている。図３において、伝動要素３０は結合要素４４にレバー３２の上端にて関節結合されている。更に、レバー３２はその両端間に凹み３４を含み、該凹みは貫通孔として形成されている。
【００２６】
凹み３４はアクチュエータ３５と組みをなし、該アクチュエータ３５は解除スイッチ２２に形成されている。二重の矢印３６は、解除装置２０の作動中、アクチュエータ３５が図３でみて左右に変位するように移動されることを示す。
【００２７】
図３では、伝動要素３０は受入れ位置にある。該受入れ位置において、解除スイッチ２２の作動中、アクチュエータ３５が凹み３４内に移動すべくレバー３２の凹み３４は解除装置２０のアクチュエータ３５に対して位置付けられている。解除スイッチ３３は言わば、空所内に移動する。最早、レバー３２は解除スイッチ２２によってリリースされない。
【００２８】
二重の矢印４１は、レバー３２における長手方向の上下に変位すべくレバー３２がリフト磁石４０によって作動されることを示す。図３において、レバー３２が上方又下方に移動されるなら、レバー３２はリリース位置を占め、該リリース位置にて、解除スイッチ２２の作動はレバー３２を起動させる。このようなレバー３２の起動は二重の矢印４５で示されるように、結合要素４４を介して工具１の駆動機構に伝達される。
【００２９】
図４を参照すれば、ブロック装置５０は電気的に作動可能な電磁石５１と、リフト部材５２とを備え、該リフト部材５２はその全ての作動位置にて電磁石５１の外側に完全に配置され、枢軸５３に関節結合されている。好ましくは、リフト部材５２は強磁性又は永久的な磁石材料から形成されている。
【００３０】
図５を参照すれば、ブロック装置６０は電気的に作動可能な電磁石６１と、リフト部材６２とを備え、該リフト部材６２はその全ての作動位置にて電磁石６１の外側に完全に配置されている。リフト部材６２はピストンとして構成され、ガイド６４内を移動可能である。リフト部材６２はタペット６３に堅固に連結され、好ましくは、リフト部材６２及び特にタペット６３は強磁性又は永久的な磁石材料から形成されている。
【００３１】
図６を参照すれば、ブロック装置７０は電気的に作動可能なアクチュエータ７１と、旋回レバー７３とを備え、該旋回レバー７３は旋回軸７２の回りを旋回的に移動可能であり、旋回軸７２に関節結合されている。旋回レバー７３は解除スイッチ７４に機械的且つ直接的に働く。安全性を高めるため、解除スイッチ７４は好ましくは凹み７５を有し、この凹み７５に旋回レバー７３がブロック位置にて係合する。凹み７５の外形は旋回レバー７３の外形に適合されている。
【図１】
0005960914.tif 000002
【図２】
0005960914.tif 000003
【図３】
0005960914.tif 000004
【図４】
0005960914.tif 000005
【図５】
0005960914.tif 000006
【図６】
0005960914.tif 000007